【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】
走行方向に対して傾斜して形成された記録トラックによりデータが記録されたテープ状記録媒体を送る媒体送り手段と、
記録トラックの記録幅よりも小さい再生ヘッド幅を有しテープ状記録媒体に記録されたデータを再生する再生ヘッドと、
上記記録トラックを形成してデータの記録を行う記録ヘッドとを有する記録再生ヘッドと、
上記記録再生ヘッドが搭載され、当該記録再生ヘッドをテープ状記録媒体上で走査させる回転ドラムと、
上記再生ヘッドが記録トラック上を走査する回数を少なくとも２回以上となるように制御してテープ状記録媒体に記録されたデータを検出するように制御する再生制御手段と、
上記再生制御手段により記録トラック上を複数回走査した上記再生ヘッドで検出されたデータを用いて、テープ状記録媒体に記録されたデータを生成する信号生成手段とを備えることを特徴とするデータ記録再生装置。
【請求項２】
上記再生制御手段は、データ再生時の上記回転ドラムの回転数を、データ記録時の上記回転ドラムの回転数のＮ倍以下とし、再生ヘッド幅が記録トラック幅の（Ｎ−１）／Ｎ倍以下とされた再生ヘッドを用いてデータを再生することを特徴とする請求項１記載のデータ記録再生装置。
【請求項３】
上記再生制御手段は、データ再生時の上記回転ドラムの回転数を、データ記録時の上記回転ドラムの回転数の２倍とし、再生ヘッド幅が記録トラック幅の１／２倍とされた再生ヘッドを用いてデータを再生することを特徴とする請求項２記載のデータ記録再生装置。
【請求項４】
上記記録再生ヘッドは、直線上に配されたＭ個の再生ヘッドを有し、各再生ヘッドの幅を記録幅の（Ｍ−１）／Ｍ倍以下とし、記録トラックの記録ピッチの（Ｋ＋０．５）倍（Ｋは零を含む正の整数）で決定される間隔を介して各再生ヘッドが形成されていることを特徴とする請求項１記載のデータ記録再生装置。
【請求項５】
上記記録再生ヘッドは、直線上に配された２個の再生ヘッドを有し、各再生ヘッドの幅を記録幅の１／２倍とし、記録トラックの記録ピッチの１．５倍で決定される間隔を介して各再生ヘッドが形成されていることを特徴とする請求項４記載のデータ記録再生装置。
【手続補正２】
【補正対象書類名】明細書
【補正対象項目名】００２５
【補正方法】変更
【補正の内容】
【００２５】
再生信号処理部３は、Ｃ１ＥＣＣデコード部２１と、Ｃ２ＥＣＣデコード部２２と、デマルチプレクサ２３と、映像信号伸張部２４と、音声信号伸張部２５とを備えることで、磁気ヘッド４で再生した再生信号を外部に出力する。
【手続補正３】
【補正対象書類名】明細書
【補正対象項目名】００２８
【補正方法】変更
【補正の内容】
【００２８】
デマルチプレクサ２３は、Ｃ２ＥＣＣデコード部２２からの再生信号を、映像信号と音声信号とに分割する処理を行う。このデマルチプレクサ２３は、映像信号を映像信号伸張部２４に出力し、音声信号を音声信号伸張部２５に出力する。
【手続補正４】
【補正対象書類名】明細書
【補正対象項目名】００２９
【補正方法】変更
【補正の内容】
【００２９】
映像信号伸張部２４は、デマルチプレクサ２３からの映像信号について所定のフォーマットで伸張処理を行って再生信号として外部に出力する。
【手続補正５】
【補正対象書類名】明細書
【補正対象項目名】００３０
【補正方法】変更
【補正の内容】
【００３０】
音声信号伸張部２５は、デマルチプレクサ２３からの音声信号について所定のフォーマットで伸張処理を行って再生信号として外部に出力する。
【手続補正６】
【補正対象書類名】明細書
【補正対象項目名】００３９
【補正方法】変更
【補正の内容】
【００３９】
記録再生装置１は、テープ状記録媒体１００に記録されたデータの再生を行うとき、データ再生時の回転ドラム５の回転数と、データ記録時の回転ドラム５の回転数との比をＮ（Ｎは０を含む正の整数）とすると、データ記録時とデータ再生時とのテープ状記録媒体１００の走行速度を同一としたとき、各記録パターン上で再生ヘッドをＮ回走査する。また、再生ヘッドが１回走査するときの送りピッチを１／Ｎとする。また、再生ヘッドのヘッド幅Ｗ１を
Ｗ１＝（（Ｎ−１）／Ｎ）＊Ｔｐ （式１）
とする。ここで、Ｔｐは隣接する記録パターン間の距離であるトラックピッチである。
【手続補正７】
【補正対象書類名】明細書
【補正対象項目名】００４８
【補正方法】変更
【補正の内容】
【００４８】
このような記録再生装置１によれば、単一の再生ヘッドで再生を行うので、トラック密度の向上を図り同一アジマス記録を行っても、回転数をＮ倍としたときに再生ヘッドのヘッド幅Ｗ１を（（Ｎ−１）／Ｎ）＊Ｔｐとすることで、複数回のスキャンのうち、隣接する記録パターンのデータを再生しないようにノントラッキング方式で再生を行うことで、隣接する記録パターンによりクロストークが発生することなく、Ｓ／Ｎが高く良好な再生を行うことができる。したがって、このような記録再生装置１によれば、狭トラックピッチとなっても、良好なデータ再生特性を得ることができる。
【手続補正８】
【補正対象書類名】明細書
【補正対象項目名】００５２
【補正方法】変更
【補正の内容】
【００５２】
この記録再生装置２００に備えられる再生信号処理部３は、例えば磁気ヘッド４が第１の再生ヘッドと第２の再生ヘッドを有する場合において図９に示すように構成される。すなわち、この記録再生装置２００は、Ｃ１ＥＣＣデコード部２０１と、Ｃ１ＥＣＣデコード部２０２と、Ｃ２ＥＣＣデコード部２０３と、デマルチプレクサ２０４と、映像信号伸張部２０５と、音声信号伸張部２０６とからなる。
【手続補正９】
【補正対象書類名】明細書
【補正対象項目名】００５５
【補正方法】変更
【補正の内容】
【００５５】
Ｃ２ＥＣＣデコード部２０３は、Ｃ１ＥＣＣデコード部２０１及びＥＣＣデコード部２０２からの再生信号に含まれるＣ２ＥＣＣを用いて、Ｃ２方向で画像音声データのエラー訂正処理を行う。このＣ２ＥＣＣデコード部２０３は、Ｃ２方向でエラー訂正処理を施した再生信号をデマルチプレクサ２０４に出力する。
【手続補正１０】
【補正対象書類名】明細書
【補正対象項目名】００５６
【補正方法】変更
【補正の内容】
【００５６】
マルチプレクサ２０４は、Ｃ２ＥＣＣデコード部２０３からの再生信号を、映像信号と音声信号とに分割する処理を行う。このデマルチプレクサ２０４は、映像信号を映像信号伸張部２０５に出力し、音声信号を音声信号伸張部２０６に出力する。
【手続補正１１】
【補正対象書類名】明細書
【補正対象項目名】００５７
【補正方法】変更
【補正の内容】
【００５７】
映像信号伸張部２０５は、デマルチプレクサ２０４からの映像信号について所定のフォーマットで伸張処理を行って再生信号として外部に出力する。
【手続補正１２】
【補正対象書類名】明細書
【補正対象項目名】００５８
【補正方法】変更
【補正の内容】
【００５８】
音声信号伸張部２０６は、デマルチプレクサ２０４からの音声信号について所定のフォーマットで伸張処理を行って再生信号として外部に出力する。
【手続補正１３】
【補正対象書類名】明細書
【補正対象項目名】００６１
【補正方法】変更
【補正の内容】
【００６１】
記録再生装置２００に備えられる磁気ヘッド４は、例えばＭＲ（磁気抵抗効果）ヘッドや薄膜ヘッド等を形成する薄膜形成プロセスを用いることで形成される。この磁気ヘッド４は、再生ヘッドの数をＭとし、Ｋ1、Ｋ2、・・・、ＫM-1を整数としたとき、
(K1+(1/M))Tp、(K2+(2/M))Tp、・・・、(KM-1+((M-1)/M))Tp （式２）
となるように第２の再生ヘッド以降のヘッド間隔とする。また、磁気ヘッド４は、ヘッド幅Ｗ１を（（Ｍ−１）／Ｍ）＊Ｔｐ以下とする。
【手続補正１４】
【補正対象書類名】明細書
【補正対象項目名】００６３
【補正方法】変更
【補正の内容】
【００６３】
より具体的には、Ｍ＝２とし、式２で表現されるヘッド幅Ｗ３を有して第１の再生ヘッドと第２の再生ヘッドとを形成した磁気ヘッド４を用いたとき、図１１１１に示すように、第１の再生ヘッドによるスキャン２３１ａ〜２３１ｃと、第１の再生ヘッドがスキャンする前のスキャンにおいてした第２の再生ヘッドのスキャン２３２ａ〜２３２ｃとで記録パターン１１１に隣接する記録パターンに記録されているデータを検出しないスキャンが存在する。
【手続補正１５】
【補正対象書類名】明細書
【補正対象項目名】００６４
【補正方法】変更
【補正の内容】
【００６４】
すなわち、スキャン２３１ａとスキャン２３２ａとではスキャン２３２ａが記録パターン１１１に隣接する記録パターンに記録されているデータを検出することが無く、スキャン２３１ｂとスキャン２３２ｂとでは双方のスキャン２３１ｂ、２３２ｂが隣接する記録パターン１１１に記録されているデータを検出することが無く、スキャン２３１ｃとスキャン２３２ｃとではスキャン２３１ｃが隣接する記録パターン１１１に記録されているデータを検出することが無い。
【手続補正１６】
【補正対象書類名】明細書
【補正対象項目名】００６７
【補正方法】変更
【補正の内容】
【００６７】
すなわち、記録再生装置２００は、注目している記録トラック１１１のみを走査しているスキャン２３３ａ、スキャン２３２ｂ又は２３３ｂ、スキャン２３２ｃ、スキャン２３１ｄ、スキャン２３１ｅで検出したデータを用いることで、記録トラックに記録されているデータの再生を行う。
【手続補正１７】
【補正対象書類名】明細書
【補正対象項目名】００６８
【補正方法】変更
【補正の内容】
【００６８】
なお、上述した記録再生装置２００でデータの記録再生を行うときには、記録と再生のジッタ等の揺らぎが無いことを仮定しているが、揺らぎがあるときには、その分を考慮する。
【手続補正１８】
【補正対象書類名】明細書
【補正対象項目名】００６９
【補正方法】変更
【補正の内容】
【００６９】
このような記録再生装置２００によれば、ヘッド幅Ｗ１が（（Ｍ−１）／Ｍ）＊Ｔｐの再生ヘッドを式２で表現されるヘッド間隔Ｗ３で形成した磁気ヘッド４によりテープ状記録媒体１００に記録されたデータを再生するので、複数の再生ヘッドのうち、注目している記録パターン１１１上のみを走査している再生ヘッドの再生信号を用いることで、アジマス無しで記録されたテープ状記録媒体１００に記録されたデータであっても、ノントラッキング方式を採用して再生を行うことができる。
【手続補正１９】
【補正対象書類名】図面
【補正対象項目名】図４
【補正方法】変更
【補正の内容】
【図４】
2001093210.tif 000001
【手続補正２０】
【補正対象書類名】図面
【補正対象項目名】図９
【補正方法】変更
【補正の内容】
【図９】
2001093210.tif 000002
【手続補正２１】
【補正対象書類名】図面
【補正対象項目名】図１３
【補正方法】変更
【補正の内容】
【図１３】
2001093210.tif 000003
【手続補正２２】
【補正対象書類名】図面
【補正対象項目名】図１４
【補正方法】変更
【補正の内容】
【図１４】
2001093210.tif 000004